(57)【要約】【課題】観音開きタイプの冷蔵庫の仕切体に外観の見栄えを損なうことなくアースの取り付けを行うこと。【解決手段】くの字状のアース取り付け用部品１９を別部品で構成し、仕切体下部材１６に熱溶接などによって組み付けることにより、アース取り付け用部品１９はアース線２１を取り付けるためのビス２０の固定が容易となる。また、アースの取り付けを行うために必要な仕切体の材料を小さく、安くすることができる。また、仕切体１３内部にアースの取り付け部を収めることができるので、外観の形状を変えることなくアースの取り付けを行うことができる。【選択図】図３
2005134031.tif 000002
【特許請求の範囲】
【請求項１】
前面開口部を有する箱体の前記開口部を閉塞する開口両側に回動可能に組付けられ、裏面周縁にそれぞれ前記開口縁に当接するガスケットを有した観音開式の第１扉及び第２扉と、両扉の非枢支側に位置し前記開口縁部に形成したガイド部材により前記第１扉の閉動作にて前記第１扉内面に沿った初期状態から回動せられて前面を前記開口縁と略面一として前記ガスケットの当接面を形成する回転仕切体と、前記回転仕切体内部に組付けられたヒータと、前記回転仕切体内部にアース線をビスで固定するためのアース取り付け用部品を別部品で組付けたことを特徴とする冷蔵庫。
【請求項２】
アース取り付け部品をアースを固定させるためのビスを留めやすい、くの字形状にして前記仕切体に取り付けた請求項１に記載の冷蔵庫。
【請求項３】
アース取り付け用部品が熱溶接で前記仕切体に取り付けたことを特徴とする請求項２に記載の冷蔵庫。
【請求項４】
アース取り付け用部品がアーク溶接で前記仕切体に取り付けたことを特徴とする請求項２に記載の冷蔵庫。
【請求項５】
アース取り付け用部品が導電性の接着剤もしくは、はんだで前記仕切体に取り付けたことを特徴とする請求項２に記載の冷蔵庫。
【請求項６】
アース取り付け用部品が圧着で前記仕切体に取り付けたことを特徴とする請求項２に記載の冷蔵庫。
【発明の詳細な説明】
【技術分野】
【０００１】
本発明は観音開きタイプの扉の回転仕切体内部にヒータを備えた冷蔵庫の仕切体のアース取り付け構造に関するものである。
【背景技術】
【０００２】
従来、この種の観音開きタイプの冷蔵庫は、扉の開閉に連動して開口部に存する回転仕切体を備えている。（例えば、特許文献1参照）
図６は、上記従来の冷蔵庫の観音式扉の一連の動作を示す要部平面図である。
【０００３】
図において、冷蔵庫１の収納庫は両開き式の一対の扉によって開閉されるものであり、この一対の扉をなす第１扉と第２扉はそれぞれ外側がヒンジにより冷蔵庫１に軸支持されている。そして、第１扉２の開放端側には、第２扉３側へ進退する様に回動するシール柱４が取付てある。このシール柱４の動作は、第１扉が開いている図１の（ａ）に示す状態では同シール柱４が内側回動位置、すなわち第１扉２の開放端から突出しない後退位置にあり、この後退位置は第１扉２が閉じ、第２扉３が開いた図１の（ｂ）に示す状態まで保持される。なお、シール柱４は前記後退位置の方に図示しないが附勢手段によって附勢されているからである。
【０００４】
次に、第２扉３を閉じると、この閉動作と連動して収納庫上方内面に配置したシール柱駆動装置（詳細を後述する）がシール柱４を後退位置に附勢する力に抗してシール柱４を図１の（ｃ）に示すように第２扉３側へ突出する前進位置まで回動し、第１扉２，第２扉３間のシールを確実に行う。
【０００５】
そして収納庫内の物品を取り出す場合には、第２扉を開くと図１の（ｄ）に示すようにシール柱駆動装置を介してシール柱４が再度後退位置まで回動され、また第１扉２を開き、第２扉３を閉じても図１の（ｅ）に示すようにシール柱４は後退位置に回動される。
【０００６】
従って第１扉２，第２扉３のいずれか一方の扉を開いた場合及び両扉を開いた場合シール柱４は第１扉２の後退位置にあり、収納庫の開口は広くできるものである。
【特許文献１】特開平８−１７０８７１号公報
【発明の開示】
【発明が解決しようとする課題】
【０００７】
上記従来の構成において、庫内の冷熱の影響を受けるシール柱４の前面には周囲の環境条件により、特に相対湿度が高い時には発汗するという課題を有していた。そして、上記課題を踏まえシール柱４内に発汗防止用のヒータを設置するものもある。
【０００８】
しかしながら、ヒータを設置した場合、安全上の配慮からアースを設置しなければならない場合が生じる。その場合、シール柱４は冷蔵庫の前面に配置する部品のため、見栄え、意匠性を配慮しなければならない。
【０００９】
本発明は、上記従来の課題を解決するもので、仕切体へのアースの取り付けを仕切体の外観の見映え、意匠性を損なうことなく、アース取り付け部を設けることができる冷蔵庫を提供することを目的とする。
【課題を解決するための手段】
【００１０】
上記従来の課題を解決するために本発明の冷蔵庫は、両扉の非枢支側に位置し開口縁部に形成したガイド部材により第１扉の閉動作にて第１扉内面に沿った初期状態から回動せられて前面を開口縁と略面一としてガスケットの当接面を形成する回転仕切体と、回転仕切体内部に組付けられたヒータと、回転仕切体内部にアース線をビスで固定するためのアース取り付け用部品を別部品で組付けたものである。
【００１１】
これによって、観音開きタイプの冷蔵庫の仕切体にアースの取り付けを行う際、アース取り付け部分を設けるための必要とする仕切体の材料を小さく、安くすることが可能となる。また、アース取り付け用部品を仕切体と別部品としたことにより、既存の観音開きタイプの冷蔵庫においてアースの取り付けが後から必要となった場合であっても、仕切体のアースの取り付けが外観形状を変えることなく容易に行うことが出来る。
【発明の効果】
【００１２】
本発明の観音開きタイプの冷蔵庫の仕切体は、外観からではアースの取り付けがなされたことが見えないようになっており仕切体の外観の見栄えを損なうことなくアースの取り付けができる。またアース取り付け部品を仕切体とは別部品にしたことにより、必要最低限の部品点数にてアースの取り付けを行え、アース取り付けのために必要な材料を小さく、安くすることができる。
【発明を実施するための最良の形態】
【００１３】
請求項１に記載の発明は、前面開口部を有する箱体の前記開口部を閉塞する開口両側に回動可能に組付けられ、裏面周縁にそれぞれ前記開口縁に当接するガスケットを有した観音開式の第１扉及び第２扉と、両扉の非枢支側に位置し前記開口縁部に形成したガイド部材により前記第１扉の閉動作にて前記第１扉内面に沿った初期状態から回動せられて前面を前記開口縁と略面一として前記ガスケットの当接面を形成する回転仕切体と、前記回転仕切体内部に組付けられたヒータと、前記回転仕切体内部にアース線をビスで固定するためのアース取り付け用部品を別部品で組付けたものであり、回転仕切体へのアースの取り付けを仕切体の外観の見映えを損なうことなく、また必要とする仕切体の材料を小さく、安くすることができる。
【００１４】
請求項２に記載の発明は、請求項１に記載の発明において、アース取り付け部品をアースを固定させるためのビスを留めやすい、くの字形状にして前記仕切体に取り付けたものであり、アース線とアース線固定用ビスの取り付けが容易となり、作業性が向上する。またアース線を固定するために必要とするスペースを小さくすることができる。
【００１５】
請求項３に記載の発明は、請求項２に記載の発明において、アース取り付け用部品が熱溶接で前記仕切体に取り付けたものであり、仕切体の外観形状を変えることなくアース取り付け用部品を仕切体にて組み付けることができる。
【００１６】
請求項４に記載の発明は、請求項２に記載の発明において、アース取り付け用部品がアーク溶接で前記仕切体に取り付けたものであり、仕切体の外観形状を変えることなくアース取り付け用部品を仕切体にて組み付けることができる。
【００１７】
請求項５に記載の発明は、請求項２に記載の発明において、アース取り付け用部品が導電性の接着剤もしくは、はんだで前記仕切体に取り付けたものであり、仕切体の外観形状を変えることなくアース取り付け用部品を仕切体にて組み付けることができる。
【００１８】
請求項６に記載の発明は、請求項２に記載の発明において、アース取り付け用部品が圧着で前記仕切体に取り付けたものであり、仕切体の外観形状を変えることなくアース取り付け用部品を仕切体にて組み付けることができる。
【００１９】
以下、本発明の実施の形態について、図面を参照しながら説明する。なお、この実施の形態によってこの発明が限定されるものではない。
【００２０】
（実施の形態１）
図１は本発明の実施の形態における冷蔵庫の上方から見た要部平面図、図２は同実施の形態における冷蔵庫の第１扉の斜視図、図３は同実施の形態における冷蔵庫の仕切体の主要構成部品の側面断面図、図４は同実施の形態における冷蔵庫の仕切体の要部断面図、図５は、同実施の形態における冷蔵庫の仕切体のアース部の要部斜視図である。
【００２１】
図において、前面開口部を有する箱体１４の前記開口部には、前記開口部を閉塞する開口両側に回動可能に組付けられた第１扉１１及び第２扉１２を有している。そして、第１扉１１及び第２扉１２の裏面周縁には、それぞれ前記開口縁に当接するガスケット１７を有している。また、第１扉１１の閉動作で、扉の非枢支側に位置する前記開口縁部に形成したガイド部材（図示せず）により、第１扉１１内面に沿った初期状態から回動して前面を前記開口縁と略面一としてガスケット１４の当接面を形成する回転仕切体１３を有している。
【００２２】
また、回転仕切体１３は、樹脂で断面コの字状に成形した仕切体上部材１５と、金属材料をコの字状に折り曲げた仕切体下部材１６と、仕切体上部材１５と仕切体下部材１６に囲まれて内部に配置する断熱材とを組み込んだものであり、仕切体上部材１５の内部表面には、発汗防止用のヒータ１８が組付けられている。そして、仕切体上部材１５側がガスケット１４と当接するように第１扉１１の側面に配置するものである。
【００２３】
また、仕切体下部材１６の内部表面には、くの字形状に折り曲げたアース取り付け用部品１９を有している。そして、アース取り付け用部品１９の一面を熱溶接で仕切体下部材１６に取付け、他面にはアース線２１の一端をビス２０で固定するためのビス穴を備えている。そして、アース線２１をビス２０でアース取り付け用部品１９に固定したあと、仕切体上部材１５と仕切体下部材１６を組立て、回転仕切体１３を構成する。なお、アース取り付け用部品１９の、くの字形状はビス穴にビス２０を取り付ける際に、ビス２０の先端が仕切体下部材１６に接しない程度の折り曲げ形状としている。
【００２４】
上記構成により、内部にヒータ１８を有しアースを取る回転仕切体１３において、アース取り付け用部品１９を別部品とし、くの字形状に折り曲げ、一面を熱溶接で仕切体下部材１６に取付け、他面にはアース線２１の一端をビス２０で固定するためのビス穴を備えているので、回転仕切体１３へのアースの取り付けを仕切体の外観の見映えを損なうことなくできる。
【００２５】
また、アース取り付け用部品１９を別部品とすることで、アースが必要なものだけに対応できるので、回転仕切体１３の仕切体下部材１６を兼用化でき、低コスト化が図れる。
【００２６】
また、アース取り付け用部品１９の、くの字形状はビス穴にビス２０を取り付ける際に、ビス２０の先端が仕切体下部材１６に接しない程度の折り曲げ形状としているので、ビス２０の取付が容易になり作業性が向上する。また、アース線２１を仕切体下部材１６に固定するためのスペースを最小限にすることができるので、アース取り付け用部品１９に対応した内部の断熱材の凹みも最小限にでき、断熱性を高めることができる。
【００２７】
なお、本実施の形態では、アース取り付け用部品１９を熱溶接で仕切体下部材１６に取付けたもので説明したが、アース取り付け用部品１９をアーク溶接で仕切体下部材１６に取付けてもよい。この場合、接続面をさらにきれいにでき仕切体の外観の見映えを高めることができる。
【００２８】
また、アース取り付け用部品１９を導電性の接着剤もしくは、はんだで仕切体下部材１６に取付けてもよい。この場合、特別な設備も必要なく、小ロットあるいは仕様の異なる機種の生産に効率よく対応できる。
【００２９】
また、アース取り付け用部品１９を圧着で仕切体下部材１６に取付けてもよい。この場合、比較的安価な設備で、小ロットあるいは仕様の異なる機種の生産に効率よく対応できる。
【産業上の利用可能性】
【００３０】
以上のように、本発明にかかる冷蔵庫は、アースの取り付け部を回転仕切体の内部に組み込む際、外観意匠を損なうことなくアースの取り付けができ、冷蔵庫の仕切体としての意匠性を高めることができるので、回転仕切体を有する冷凍機器等の用途にも適用できる。
【図面の簡単な説明】
【００３１】
【図１】本発明の実施の形態１における冷蔵庫の上方から見た要部平面図
【図２】本発明の実施の形態１における冷蔵庫の第１扉の斜面図
【図３】本発明の実施の形態１における冷蔵庫の仕切体の主要構成部品の側面の断面図
【図４】本発明の実施の形態１における冷蔵庫の仕切体の要部断面図
【図５】本発明の実施の形態１における冷蔵庫の仕切体のアース部の要部斜視図
【図６】従来の冷蔵庫の観音式扉の一連の動作を示す要部平面図
【符号の説明】
【００３２】
１１    第１扉
１２    第２扉
１３    回転仕切体
１４    箱体
１５    仕切体上部材
１６    仕切体下部材
１７    ガスケット
１８    ヒータ
１９    アース取り付け用部品
２０    ビス
２１    アース線
【図１】
2005134031.tif 000003
【図２】
2005134031.tif 000004
【図３】
2005134031.tif 000005
【図４】
2005134031.tif 000006
【図５】
2005134031.tif 000007
【図６】
2005134031.tif 000008